(57)【要約】  ２つまたはそれ以上の物品(113)を互いに結合するファスナ組立体は、プラスチックファスナ(115)およびアンカー部材(117)を含む。ファスナは横断フィラメント(121)によって相互連結される１対の平行クロスバー(119-1, 119-2)を含む。アンカー部材は、対向する平坦化された面を備えた一体的な中実のプラスチック板として作られている。使用に際し、アンカー部材は、互いに結合すべき物品の外側面に当てて配置される。ファスナ分配工程中、排出されたクロスバー(119-1)は、物品およびアンカー部材を貫通する。完成時、クロスバー(119-1)は、アンカー部材の露出された面上に直接横たわる。そのようにして、剛化されたアンカー部材は、構造において変形可能である物品に構造的一体性を付与する。このようにして、アンカー部材は、ファスナが貫通して延びる物品の穴の意図した、或いは、意図しない広がりによる分配されたファスナの完全な除去を防止する。【選択図】図４
2017524619.tif 000002
【特許請求の範囲】
【請求項１】
第１の面を有する少なくとも１つの物品に結合されるようになったファスナ組立体であって、該ファスナ組立体は、
(a)  第１のクロスバーを備えるプラスチックファスナと、
(b)  前記プラスチックファスナとは別体である一体的な中実のアンカー部材と、を含み、前記アンカー部材は、前記プラスチックファスナの前記第１のクロスバーと、前記少なくとも１つの物品の前記第１の面との間に配置されるようになっている、ファスナ組立体。
【請求項２】
前記アンカー部材は、平らな頂面および平らな底面を含むタブの形態をしている、請求項１に記載のファスナ組立体。
【請求項３】
前記アンカー部材は、プラスチックで作られている、請求項２に記載のファスナ組立体。
【請求項４】
前記アンカー部材は、正方形、矩形、または、丸形形状である、請求項３に記載のファスナ組立体。
【請求項５】
前記第１のクロスバーは、約０．３７５インチ（９．５３ｍｍ）の長さを有する、請求項４に記載のファスナ組立体。
【請求項６】
前記アンカー部材は、約０．３７５インチ（９．５３ｍｍ）の長さと、約０．３７５インチ（９．５３ｍｍ）の幅と、を有する、請求項５に記載のファスナ組立体。
【請求項７】
前記プラスチックファスナは、
(a)  前記第１のクロスバーに対して間隔を隔てた平行な関係で延びる第２のクロスバーと、
(b)  前記第１のクロスバーと第２のクロスバーを相互連結する横断フィラメントと、をさらに含む、請求項６に記載のファスナ組立体。
【請求項８】
ファスナ分配装置を使用して、プラスチックファスナを少なくとも１つの物品に結合する方法であって、前記ファスナ分配装置は、尖らされた先端を備えた中空のニードルを有し、前記プラスチックファスナは、横断フィラメントに連結された第１のクロスバーを含み、前記少なくとも１つの物品は、第１の面を有する、方法において、該方法は、
(a)  平らな頂面および平らな底面一体的な中空のアンカー部材を準備するステップと、
(b)  前記少なくとも１つの物品の前記第１の面に当てて前記アンカー部材の底面を位置決めするステップと、
(c)  前記ファスナ分配装置の前記中空のニードルを使用して、前記アンカー部材および前記少なくとも１つの物品を貫通するステップと、
(d)  前記第１のクロスバーが、前記アンカー部材の前記頂面上に直接横たわるように、前記第１のクロスバーを前記中空のニードルを通して前記尖らされた先端の外に排出するステップと、を含む方法。
【請求項９】
前記中空のニードルは、前記アンカー部材の略中央を貫通する、請求項８に記載の方法。
【請求項１０】
前記アンカー部材は、プラスチックで作られている、請求項９に記載の方法。
【請求項１１】
前記アンカー部材は、正方形、矩形、または、丸形形状である、請求項１０に記載の方法。
【請求項１２】
前記アンカー部材は、約０．３７５インチ（９．５３ｍｍ）の長さと、約０．３７５インチ（９．５３ｍｍ）の幅と、を有する、請求項１１に記載の方法。
【発明の詳細な説明】
【技術分野】
【０００１】
本発明は、出典を明示することによってその開示内容が本願の一部とされる２０１４年８月１１日に出願された米国実用新案登録出願第14/456,417号に基づく優先権を主張する。
【０００２】
本発明は、一般的には、小売り産業に関し、さらに詳しくは、小売り産業で使用されるプラスチックファスナに関する。
【背景技術】
【０００３】
プラスチックファスナは、２つまたはそれ以上の別個の物品を互いに結合する種々の異なる適用において小売り産業で普通に使用される。例えば、プラスチックファスナは、(i)靴下、手袋等のような１対の相補的な衣類物品を互いに、或いは、(ii)商品タグまたは正札を１つまたはそれ以上の衣類物品（例えば、ジーンズのウエストライン上に折り返された商品正札）に、および、(iii)手持ち物品（例えば、工具またはおもちゃ）をその対応する包装（例えば、平らな厚紙ディスプレーカードの前面に当てて配置されたねじ回し）に結合するのにしばしば使用される。
【０００４】
出典を明示することによりその開示内容が本願の一部とされるA.R.Boneに付与された米国特許第4,039,078号には、いくつかの異なるタイプのプラスチックファスナが開示されている。この特許に記載された各プラスチックファスナは、２つの平行クロスバー、または、T-バーが、それらの間で直交して延びている単一の細い可撓性のフィラメントによって相互転結されている略Ｈ形形状に作られている。
【０００５】
上記のタイプのプラスチックファスナは、ファスナストックの連続的に結合された供給体の一部として一般的に作られており、このファスナストックの連続的に結合された供給体もまた、そのはしご状の外観故に、当業者では一般的にはしごストックと呼ばれている。今、図１を参照すると、PLASTIC STAPLE(登録商標)およびELASTIC STAPLE(登録商標)プラスチックファスナのラインとしてカリフォルニアのAvery Dennison Corporation of Pasadenaによって現在製造および販売されているはしごストックの長さが示されている。わかるように、好ましくは、ナイロン、ポリプロピレン、ポリウレタン、ポリエステル等のような、１つまたは２つ以上の材料から作られたはしごストックが示されており、はしごストックは、全体的に参照番号１１によって同定されている。はしごストック１１は、複数の等距離に間隔を隔てて配置された架橋１７によって相互連結されている１対の細長い連続的な側方部材、または、レール１３および１５を備える。
【０００６】
個々のプラスチックファスナ１８が、次々の架橋１７の略中間で側方部材１３および１５を切断することによって、はしごストック１１から得られる。わかるように、各ファスナ１８は、細い可撓性のフィラメント２３によって相互連結された１対のクロスバー１９および２１を備え、クロスバー１９および２１は、それぞれ、側方部材１３および１５の部分、並びに、架橋１７からなるフィラメント２３を備える。
【０００７】
自動化されたプラスチックファスナ分配装置または機械が、当業界ではよく知られており、はしごタイプのファスナストックのリールから個々のプラスチックファスナを分配するのに一般的に使用される。例えば、出典を明示することによってその開示内容が本願の一部とされるW.J. Cooperたちに付与された米国特許第8,413,866号には、ST9500(登録商標)ファスナシステムとしてカリフォルニアのAvery Dennison Corporation of Pasadenaによって現在製造および販売されている１つのよく知られたタイプのプラスチックファスナ分配装置が開示されている。
【０００８】
使用に際して、上記のタイプのファスナ分配装置を、特に、物品を、その対応する包装に取り付けるために、以下の仕方で使用することができる。詳しくは、物品を包装に当てて配置して、ファスナ分配装置上の１対のニードルを、物品の両側で（すなわち、物品をニードルの両側に位置決めして）包装を通して直線的に打ち込む。次いで、送り機構が、供給はしごストックの各レールを、対応する中空のニードルによって構成された長手方向ボアの背後で軸線方向に整合させる。各レールをそのように配置した状態で、切断機構が、２つの最も下側の架橋の間の略中間で各レールを切断し、それによって、個々のファスナをはしごストックの残部から分離する。個々のファスナをはしごストックから分離した後、排出機構が、分離されたファスナのクロスバーを、中空のニードル対のボアを通して、次いで、ニードルによって事前に貫通された包装を通して排出する。
【０００９】
ファスナ排出工程中、各クロスバーを、その対応するニードルによって包装に形成された比較的小さい穴を貫通することを可能にするために、フィラメントに外側部分に対して実質的に平行な関係に捩る。一旦、各クロスバーが、包装に形成された穴を完全に通過した後、プラスチックファスナの弾力構成によって、各クロスバーは、フィラメントに対してその元の特定配向に戻される。したがって、ファスナ分配工程が完了したとき、各略円筒状のクロスバーの内側面は、略直線状の接触領域に沿って包装の１つの面に当たって平らに横たわる。同時に、伸縮性のフィラメントの大部分は、包装の反対側で物品を横切ってきつく延び、それによって、物品を、比較的しっかりした仕方で包装に保持する。
【００１０】
今、図２(a)および図２(b)を参照すると、比較的平らな包装２５の１つの面に当たって平らに横たわっている分配されたプラスチックファスナ１８の１つのクロスバー１９が示されている。そのように配置されると、フィラメント２３は、対応するファスナ分配ニードルによって包装２５に形成された比較的小さい穴２７を通して嵌合的に突出し、次いで、包装２５の反対側の面２５−２に当たって配置された販売のために指定された物品（図示せず）を横切ってしっかりと延びる。この能力において、ぴんと張ったフィラメント２３は、物品を包装２５にしっかりと取り付ける。
【００１１】
小売り産業では、包装２５は、ボール紙、合板、厚紙等のような、厚い紙系材料を使用して、一般的に製造される。その紙系構成により、包装２５は、性質として特に耐久性ではない。むしろ、意図した、或いは、意図しない仕方で、紙系包装２５は、(i)包装２５に取り付けられた物品上へのトルクの印加、或いは、(ii)プラスチックファスナ１８自身の捩り、引っ張り、若しくは同様な操作のいずれかを通じて、ファスナ１８によって容易に引き裂かれ、或いは、その他の仕方で変形され得る。特に、前述した作用により、しばしば、包装２５に形成された穴２７は、横断面が拡大化される。
【００１２】
包装２５に形成された穴２７の幅が、クロスバー１９の長さを越えて広げられると、ファスナ１８は、包装２５から容易に結合が外され、それによって、販売用の物品が、包装２５から分離されることができるようになり、このことは、大変望ましくない。さもなくば、図２(c)に示されているように、包装２５に形成された穴２７がわずかに拡大化された状態で、顕著な力がフィラメント２３に加えられことがあり、すると、クロスバー１９が、その略中間箇所で座屈させられる（すなわち、クロスバー１９の両端１９−１および１９−２が、包装２５から遠ざかるように曲がり、または、回動する）。ファスナ１８の両端に形成された略Ｙ形形状により、上記の状態は、当業界では、一般的に「Ｙ化」と呼ばれている。理解できるように、ファスナ１８の両端が、狭いＹ形形状に座屈された状態で、損傷されたクロスバー１９は、包装２５に形成された穴２７を通してより容易に引っ張られ、それによって、物品が、その包装から容易に分離されることができるようになる。
【発明の概要】
【発明が解決しようとする課題】
【００１３】
本発明の目的は、少なくとも１つの物品に結合されるようになった新しい改良されたファスナ組立体を提供することである。
【００１４】
本発明のもう１つの目的は、ファスナ組立体が結合される前記少なくとも１つの物品に形成されたニードルにより形成される小さい穴を通して嵌合的に挿入されるように設計された上記のようなファスナ組立体を提供することである。
【００１５】
本発明のさらにもう１つの目的は、ファスナ組立体が結合される少なくとも１つの物品から完全に除去することが困難である上記のようなファスナ組立体を提供することである。
【００１６】
本発明のさらにもう１つの目的は、ファスナ組立体が結合される前記少なくとも１つの物品の任意の意図した、或いは、意図しない広がりの作用を最小にする上記のようなファスナ組立体を提供することである。
【００１７】
本発明のさらにもう１つの目的は、限定された数の部品を有し、使用することが容易であり、製造する費用が安い上記のようなファスナ組立体を提供することである。
【課題を解決するための手段】
【００１８】
したがって、本発明の１つの特徴として、第１の面を有する少なくとも１つの物品に結合されるようになったファスナ組立体であって、該ファスナ組立体は、(a)第１のクロスバーを備えるプラスチックファスナと、(b)前記プラスチックファスナとは別体である一体的な中実のアンカー部材と、を含み、前記アンカー部材は、前記プラスチックファスナの前記第１のクロスバーと、前記少なくとも１つの物品の前記第１の面との間に配置されるようになっている、ファスナ組立体が提供される。
【００１９】
本発明のもう１つの特徴として、ファスナ分配装置を使用して、プラスチックファスナを少なくとも１つの物品に結合する方法であって、前記ファスナ分配装置は、尖らされた先端を備えた中空のニードルを有し、前記プラスチックファスナは、横断フィラメントに連結された第１のクロスバーを含み、前記少なくとも１つの物品は、第１の面を有する、方法において、該方法は、(a)平らな頂面および平らな底面一体的な中空のアンカー部材を準備するステップと、(b)前記少なくとも１つの物品の前記第１の面に当てて前記アンカー部材の底面を位置決めするステップと、(c)前記ファスナ分配装置の前記中空のニードルを使用して、前記アンカー部材および前記少なくとも１つの物品を貫通するステップと、(d)前記第１のクロスバーが、前記アンカー部材の前記頂面上に直接横たわるように、前記第１のクロスバーを前記中空のニードルを通して前記尖らされた先端の外に排出するステップと、を含む方法が提供される。
【００２０】
種々の他の特徴および利点は、以下の説明から明らかになるであろう。以下の説明では、本願の一部を形成する添付の図面が参照され、添付の図面には、例示として、本発明を実施するための実施形態が示されている。説明される実施形態は、当業者が本発明を実施することができるように十分詳細に記載されており、他の実施形態を使用することができ、本発明の範囲を逸脱することなく、構造的変形を行うことができることが理解されるべきである。したがって、以下の詳細な説明は、制限的な意味で取られるべきでなく、本発明の範囲は、添付の特許請求の範囲の記載によって最もよく画定される。
【００２１】
図面において、同じ参照番号は、同じ部分を示す。
【図面の簡単な説明】
【００２２】
【図１】当業界で知られた連続的に連結されたはしごストックであって、１つの個々のプラスチックファスナが、はしごストックから分離されて示されているはしごストックの長さの分解正面斜視図である。
【図２（ａ）】ファスナが物品に取り付けられて示されている、図１に示されたファスナの直角端分解斜視図である。
【図２（ｂ）】ファスナが物品に取り付けられて示されている、図１に示されたファスナの直角端平面図である。
【図２（ｃ）】ファスナは、そのクロスバーが、そのフィラメント上に顕著な力を受けたときに座屈状態になり、フィラメントが通る物品の穴が、横断面で著しく拡張されて示されている図２(a)のファスナの直角端分解斜視図である。
【図３】本発明の教示により作られたファスナ組立体であって、物品と共に示されているファスナ組立体の直角端分解斜視図である。
【図４】図３に示されたファスナ組立体であって、物品に結合されて示されているファスナ組立体の直角端斜視図である。
【図５（ａ）】ファスナ分配装置を使用して物品上に結合する際の種々の段階の１つにおける図３に示されたファスナ組立体の断面図である。
【図５（ｂ）】ファスナ分配装置を使用して物品上に結合する際の種々の段階の１つにおける図３に示されたファスナ組立体の断面図である。
【図５（ｃ）】ファスナ分配装置を使用して物品上に結合する際の種々の段階の１つにおける図３に示されたファスナ組立体の断面図である。
【図６】アンカー部材が物品に接着された、本発明の教示によって作られたファスナ組立体の断面図である。
【発明を実施するための形態】
【００２３】
図３および図４を今参照すると、本発明の教示によって作られたファスナ組立体が示されており、ファスナ組立体は、全体的に参照番号１１１によって同定されている。以下でさらに説明するように、ファスナ組立体１１１は、１つまたはそれ以上の物品にしっかりと信頼できる仕方で結合されるように設計されている。
【００２４】
簡単化の目的でのみ、本願では、ファスナ組立体１１１は、単一の物品１１３に取り付けられるように示され、以下で詳細に説明されている。しかしながら、ファスナ組立体１１１は、本発明の精神から逸脱することなく、同様に、２つまたはそれ以上の物品に結合されることもできることを理解すべきである。
【００２５】
本例では、物品１１３は、第１の拡大化された略平らな面１１３−１、および、第２の拡大化された略平らな面１１３−２を含む拡大化された略矩形のディスプレーカードとして表わされている。物品１１３は、本願では、ディスプレーカードとして表わされているので、物品１１３は、好ましくは、一般的な小売り適用によく適合された適度に剛性の耐久性の包装材料から作られている。例えば、物品１１３は、プラスチック系材料、または、ボール紙、合板、厚紙等のような紙系材料から作られている。以下で詳細に説明するように、ファスナ組立体１１１は、たとえ物品１１３がわずかに引き裂かれ、切り裂かれ、或いはその他の仕方で変形されていたとしても、物品１１３に信頼できる仕方で取り付けられるように特に設計されており、これは、本発明の原則的な特徴である。
【００２６】
物品１１３は、商品ディスプレーカード、或いは小売り包装の他の同様な形態に限定されないことに留意すべきである。むしろ、物品１１３は、プラスチックファスナが一般的に結合される任意の１つまたはそれ以上の物品を表わすものと理解すべきである。例えば、物品１１３は、代替的には、特に、(i)靴下、手袋等のような１対の相補的な衣類物品、或いは、(ii)商品タグ、若しくは正札、および、１つまたはそれ以上の対応する衣類物品（例えば、ジーンズのウエストライン上に折り返された正札）を表わすこともできる。
【００２７】
ファスナ組立体１１１は、プラスチックファスナ１１５、および、アンカー部材１１７を含む。以下で詳細に説明するように、アンカー部材１１７は、物品１１３とファスナ１１５との間に配置され、ファスナ分配工程中、物品に形成されたニードル穴を通してプラスチックファスナ１１５が完全に引き出されること（すなわち、戻り抜け）を防止するように、好ましくは、ポリプロピレン、ポリエチレンテレフタレート、ポリエステル、ポリエステル、ポリウレタン等のような、剛性のポリマー系材料から作られている。
【００２８】
プラスチックファスナ１１５は、プラスチックファスナ１１５が、好ましくは、ナイロン、ポリプロピレン、ポリウレタン等のような１つまたはそれ以上の可撓性プラスチック材料から作られるので、個々のプラスチックファスナ１８と同様であり、細い可撓性の横断フィラメント１２１によって相互連結される１対の平行クロスバー１１９−１および１１９−２を含む。
【００２９】
各クロスバー１１９は、本願では、横断面が略Ｄ字形を有し、０．１２５インチ（３．１８ｍｍ）から０．３７５インチ（９．５３ｍｍ）の範囲であるのがよい全体長さＬを有するものとして表わされている。したがって、ファスナ１１５は、次々の架橋１７の間の略中間点において側方部材１３および１５を切断することによって、従来技術のはしごストックから容易に得ることができる。このようにして、各クロスバー１１９は、大変望ましい、在来のファスナ分配装置の対応する中空のニードルを通して排出できるように正しく寸法形状決めされている。
【００３０】
しかしながら、各クロスバー１１９は、特定の寸法および／または形状に限定されないことに留意すべきである。むしろ、各クロスバー１１９は、本発明の精神から逸脱することなくその寸法形状を変更することができることに留意すべきである。例えば、各クロスバー１１９は、横断面が略Ｄ字形であることもできる。さらに各クロスバー１１９の長さＬは、その意図される用途におけるファスナ１１５に要求される試験的な強度に応じてより大きくも、或いは、より小さくもすることができる。
【００３１】
アンカー部材１１７は、好ましくは、ポリプロピレン、ポリエチレン、ポリエチレンフタレートのような、変形に耐える剛性のプラスチック材料から作られる一体的な中実の板の形態をしている。わかるように、アンカー部材１１７は、本願では、平らな頂面１１７−１および平らな底面１１７−２を含む略正方形形状のタブとして表わされている。
【００３２】
しかしながら、アンカー部材１１７は、正方形形状設計に限定されないことに留意すべきである。むしろ、アンカー部材１１７は、本発明の精神から逸脱することなく代替形状（例えば、円形の板として）形成することもできることを理解すべきである。例えば、アンカー部材１１７は、矩形、丸形、正方形等であるのがよい。
【００３３】
アンカー部材１１７は、好ましくは、プラスチックファスナ１１５のクロスバー１１９の寸法形状に対応している。例えば、本実施形態では、アンカー部材１１７は、好ましくは、約０．３７５インチ（９．５３ｍｍ）の長さＬ1 と、約０．３７５インチ（９．５３ｍｍ）の幅Ｗ1 と、を有する。したがって、アンカー部材の長さＬ1 および幅Ｗ1 は、クロスバーの長さＬに略等しいが、クロスバー１１９の長さＬに必ずしも等しい必要はなく、クロスバー１１９の全体が、アンカー部材１１７によって直接支持され、物品１１３によっては支持されておらず、このことは、以下で明らかになる理由のために、大変望ましい。同時に、アンカー部材１１７は、物品１１３の全体的外観を損なわないように小さいほとんど認識されない寸法のままである。
【００３４】
今、図５(a)-図５(c)を参照すると、ファスナ組立体１１１は、以下の仕方で物品１１３に結合されるように設計されている。特に、図５(a)に示されているように、中実のアンカー部材１１７は、最初にアンカー部材１１７の底面１１７−２が物品の第１の面１１３−１に当たって直接横たわるようにして、物品１１３に当てて所定位置に配置される。好ましくは、アンカー部材１１７は、以下に示すように、ファスナ分配装置のニードルが、アンカー部材１１７の略中央を貫通するように、物品１１３上に位置決めされる。
【００３５】
アンカー部材１１７が、物品１１３に当てて位置決めされた状態で、ファスナ分配装置１２３は、中空のスロット付けされたニードル１２５が、図５(b)に示されているように物品１１３およびアンカー部材１１７に穴１２７を形成するように、物品１１３およびアンカー部材１１７の中央を貫通するように作動される。次いで、ファスナ１１５の１つのクロスバー１１９は、ニードル１２５内の長手方向ボア１２５−１を通して軸線方向に移動され、次いで、ニードル１２５の尖らされた先端１２５−２を通して外に排出される。その後、ニードル１２５は、アンカー部材１１７および物品１１３に形成された穴１２７から後退される。
【００３６】
図５(c)からより明らかにわかるように、ニードル１２５の後退によって、クロスバー１１９は、アンカー部材１１７の面１１７−２に当たって平らに横たわるようになる。同時に、伸縮性のフィラメント１２１が  穴１２７を通してきつく引かれ、物品１１３の第２の面１１３−２を横切って（そして、物品１１３の第２の面上に位置決めされた任意の追加の物品に当たって）きつく延びる。
【００３７】
本発明の原則的特徴として、剛性の変形しないアンカー部材１１７が、ファスナ１１５のクロスバー１１９を直接支持する。その結果、たとえ変形可能な紙系物品１１３が、穴１２７の横断面を拡張させるように切り裂かれ、或いは引き裂かれたとしても、ファスナ１１５は、いかなる容易な仕方でも、物品から完全に除去されることはできない。この能力において、アンカー部材１１７は、目立たない仕方で物品１１３の構造的一体性（特に穴のまわりの）を保存するのを助ける硬質プラスチックワッシャとして役立つ。
【００３８】
上に示した実施形態は、単なる例示的なものとして意図され、当業者は、本発明の精神を逸脱することなく、上に示した実施形態に対して多くの変形および変更を行うことができるはずである。すべてのかかる変形および変更は、添付の特許請求の範囲で画定される本発明の範囲内にあることが意図される。
【００３９】
例えば、本願には示されていないけれども、アンカー部材１１７は、ファスナ分配ニードルを嵌合的に受け入れるように寸法形状決めされた予め形成された中央ボアを含むように作ることができる。したがって、変更されたアンカー部材が物品に正しく当てて位置決めされた状態で、ファスナ分配装置１２３のニードル１２５は、中央ボアを好ましく貫通するであろう。その結果、ファスナ分配装置が留めるべき物品に加えてアンカー部材を貫通するために、追加の力をほとんど或いは全く必要としないであろう。
【００４０】
図６に示されているもう１つの例では、アンカー部材１１７は、アンカー部材１１７の面上で感圧接着剤１１３ａを介して物品１１３と接触している。この接着剤は、物品１１３に接着性を提供するであろう。
【符号の説明】
【００４１】
１１１        ファスナ組立体
１１３        物品
１１５        プラスチックファスナ
１１７        アンカー部材
１１９−１    平行クロスバー
１１９−２    平行クロスバー
１２１        横断フィラメント
１２３        ファスナ分配装置
１２５        ニードル
１２７        穴
【図１】
2017524619.tif 000003
【図２（ａ）】
2017524619.tif 000004
【図２（ｂ）】
2017524619.tif 000005
【図２（ｃ）】
2017524619.tif 000006
【図３】
2017524619.tif 000007
【図４】
2017524619.tif 000008
【図５（ａ）】
2017524619.tif 000009
【図５（ｂ）】
2017524619.tif 000010
【図５（ｃ）】
2017524619.tif 000011
【図６】
2017524619.tif 000012
【国際調査報告】
2017524619.tif 000013
2017524619.tif 000014
2017524619.tif 000015